(57)【要約】【課題】簡単に作製できて、絵画や写真などの画像を有する意匠性の優れた画像付板状装飾品を提供する。【解決手段】表面側に配置される透明板３と、背面側に配置され反射部４２を有する鏡板４とが個別に形成され、透明板３の裏面又は鏡板４の表面にインクジェット印刷により画像２が形成された後に、透明板３と鏡板４とを積層して縁部において固着して構成される画像付板状装飾品１である。さらに、画像２は、透明樹脂インクにより形成される透明樹脂印刷層２１と不透明樹脂インクにより形成される不透明樹脂印刷層２２とを有し、透明樹脂印刷層２１と不透明樹脂印刷層２２とが、透明樹脂印刷層２１が前面側となるように積層される部分を有する。【選択図】図２
2016195630.tif 000002
【特許請求の範囲】
【請求項１】
前面側に配置される透明板と、
背面側に配置され反射部を有する鏡板とが個別に形成され、
前記透明板の裏面又は前記鏡板の表面にインクジェット印刷により画像が形成され、前記透明板と前記鏡板との間に画像が位置するように前記透明板と前記鏡板とを積層して縁部において固着して構成されていることを特徴とする画像付板状装飾品。
【請求項２】
請求項１に記載の画像付板状装飾品において、
前記鏡板は、前面側となる表面に前記反射部を有している画像付板状装飾品。
【請求項３】
請求項１又は請求項２に記載の画像付板状装飾品において、
前記画像は、透明樹脂インクにより形成される透明樹脂印刷層と不透明樹脂インクにより形成される不透明樹脂印刷層とを有するように形成されると共に、
前記透明樹脂印刷層と前記不透明樹脂印刷層とが、前記透明樹脂印刷層が前面側となるように積層される部分を有する画像付板状装飾品。
【請求項４】
請求項３に記載の画像付板状装飾品において、
前記透明樹脂印刷層は、前記不透明樹脂印刷層と積層して形成される部分が、前記不透明樹脂印刷層で形成される画像の色調に合わせて透明樹脂インクの塗布量を変化させて形成される画像付板状装飾品。
【請求項５】
請求項１から請求項４の何れか１項に記載の画像付板状装飾品において、
前記画像は、
印刷する画像の影部及び輪郭線を除いた輪郭線よりも内部の色つき部分の範囲内に色抜き部分が形成されるように印刷されて形成される画像付板状装飾品。
【発明の詳細な説明】
【技術分野】
【０００１】
本発明は、写真、図形等の各種画像を有する画像付板状装飾品に関する。
【背景技術】
【０００２】
写真や絵画・イラストなどの複製画は、通常は、額縁に入れて飾られる。
また、一般的に知られている鏡は、透明なガラス板等から成る透明板の裏面に、銀などの金属皮膜を形成して構成されている。
さらに、このような鏡の縁部近くにおける表面に、シルクスクリーン印刷により図柄が印刷された図形付の鏡も提案されている（特許文献１参照）。
本発明者は、鏡の表面に図柄を印刷する技術にヒントを得て、絵画・写真などの画像を鏡に印刷することにより意匠性に優れた装飾品ができるのではと考えた。
【先行技術文献】
【特許文献】
【０００３】
【特許文献１】特開平１１−３３２７０８号公報
【特許文献２】実用新案登録第３１４４７２３号公報
【発明の概要】
【発明が解決しようとする課題】
【０００４】
しかしながら、特許文献１に開示されているような鏡の表面に図柄が印刷された図柄付の鏡は、印刷面が外部に露出するために、年月が経過すると図柄が消えたり、傷ついたりする問題がある。
また、本発明者は、鏡として、透明板の裏面に金属皮膜を蒸着などによって形成した鏡ではなく、金属板から成る反射板を透明板に張り合わせて構成される鏡があり、このような鏡において、反射板を張り合わせる前に透明板の裏面の縁部近くに図柄を印刷しておいて、印刷後に透明板と反射板とを接着剤により貼り合わせた図柄付の鏡が提案されていることも知った(特許文献２参照)。
このように、透明板の裏面に図柄を印刷した後に、反射板を接着剤により張り合わせて鏡を形成する場合には、印刷部分が外部に露出しないため図柄が消えたり、傷ついたりすることは無い。
しかしながら、特許文献２に開示されている図柄を有する鏡は、透明板と金属板とを貼り合わせるのが非常に困難であった。
【０００５】
本発明は、上記事情に鑑みてなされたもので、簡単に作製できて、絵画や写真などの画像を有する意匠性の優れた画像付板状装飾品を提供することを目的とする。
【課題を解決するための手段】
【０００６】
本発明者は、絵画・写真などの画像を鏡を利用して意匠性に優れたものができないか種々検討した結果、既に完成された鏡板とは別に、鏡板と同じ形状の透明板を形成し、この透明板の裏面全面又は鏡板の表面全面に画像を印刷して、透明板と鏡板を積層することで意匠性に優れた装飾品を見出すことができた。
【０００７】
本発明の画像付板状装飾品は、
前面側に配置される透明板と、
背面側に配置され反射部を有する鏡板とが個別に形成され、
前記透明板の裏面又は前記鏡板の表面にインクジェット印刷により画像が形成され、前記透明板と前記鏡板との間に画像が位置するように前記透明板と前記鏡板とを積層して縁部において固着して構成されていることを特徴とする。
【０００８】
本発明の画像付板状装飾品によれば、画像をインクジェット印刷により形成するので、写真などのような鮮明な画像を形成でき、しかも、オリジナルの画像など、少量多品種の彩色画像でも簡単に形成できる。さらに、前記透明板に入射した光は、不透明な画像がない箇所を通過して前記鏡板の反射部によって反射するので画像の周囲が明るくなり、通常の絵画や写真を観る場合に比べて透明板全体が明るくなって意匠性のある画像付板状装飾品が得られる。しかも、既存の鏡板を利用でき、簡単に前記透明板と鏡板とを積層して固着できるし、画像が前記透明板と前記鏡板との間で印刷されるので画像が傷つくこともない。
【０００９】
本発明の画像付板状装飾品は、前記鏡板が、前面側となる表面に前記反射部を有するものであることが好ましい。
このように、鏡板の表面に前記反射部を形成することにより、市販されている鏡板のようにガラス板の裏面側に反射部が形成される場合に比べて、ガラス板で形成される透明層が無い分だけ画像から反射部までの距離がほぼ無くなった状態になる。即ち、前記透明板の裏面に画像を印刷する場合には前記透明板と前記鏡板とを積層した時に鏡板の反射部に直接印刷したのと同じ状態にでき、また、前記鏡板の表面に画像を印刷する場合には、反射部に直接画像を印刷することができる。その結果、鏡板と透明板とを積層した状態の時に、鏡板の反射部に印刷されている画像と、反射部に映し出される画像とが鏡板を構成するガラス板の厚みによって二重に重なって見えることが無くなり、印刷された画像が鮮明になる。
【００１０】
本発明の画像付板状装飾品は、前記画像が、透明樹脂インクにより形成される透明樹脂印刷層と不透明樹脂インクにより形成される不透明樹脂印刷層とを有するように形成されると共に、前記透明樹脂印刷層と前記不透明樹脂印刷層とが、前記透明樹脂印刷層が前面側となるように積層される部分を有するように形成することが好ましい。
本発明の画像付板状装飾品は、色彩画像となる前記不透明樹脂印刷層と、クリアな前記透明樹脂印刷層とを印刷して画像を形成しているので、透明樹脂印刷層により不透明樹脂印刷層で形成される画像はもちろんのこと透明板の全面に光沢感を与えることが可能となる。
特に、前記透明樹脂印刷層と前記不透明樹脂印刷層とが積層されている部分は、前記不透明樹脂印刷層の色彩画像が、その上に形成されるクリアな前記透明樹脂印刷層により明るくなり、前記不透明樹脂印刷層のみの画像に比べて画像がより鮮明になる。具体的には、前記透明樹脂印刷層が光に反応して前記不透明樹脂印刷層で形成される画像部分が明るくなって、前記不透明樹脂印刷層の部分が強調される。
【００１１】
本発明の画像付板状装飾品は、さらに、前記不透明樹脂印刷層と前記透明樹脂印刷層とが積層される部分において、前記透明樹脂印刷層は、前記不透明樹脂印刷層で形成される画像の色調に合わせて透明樹脂インクの塗布量を変化させて形成することが好ましい。
このように、前記透明樹脂印刷層は前記不透明樹脂印刷層で形成される画像の色調に合わせて透明樹脂インクの塗布量を変化させることにより、前記不透明樹脂印刷層で形成される画像が明るくなるだけでなく、浮き上がったように見せることができ、意匠性に優れた装飾品を提供できる。
【００１２】
また、本発明の画像付板状装飾品において、前記画像は、印刷する画像の影部及び輪郭線を除いた輪郭線よりも内部の色つき部分の範囲内に色抜き部分が形成されるように印刷されて形成することもできる。
このように画像に色抜き部分を形成することにより、この色抜き部分は鏡としての機能を発揮することができる。即ち、前記透明板に画像が無い色抜き部分を形成することにより、色抜き部分を介して鏡板の反射部に周りの風景や人物が映し出されるので、画像を楽しみながら、鏡としての機能も果たすことができる。
【発明の効果】
【００１３】
本発明の画像付板状装飾品は、画像をインクジェット印刷により形成するので、少量多品種の彩色画像でも簡単に形成できる。さらに、前記透明板に入射した光は、不透明な画像がない箇所を通過して前記鏡板の反射部によって反射するので画像の周囲が明るくなり意匠性に優れた画像付板状装飾品が得られる。しかも、既存の鏡板を利用して、簡単に画像付板状装飾品を作製でき、画像が傷つくこともない。
【図面の簡単な説明】
【００１４】
【図１】本発明の実施形態に係る画像付板状装飾品の全体正面図である。
【図２】本発明の実施形態に係る画像付板状装飾品の断面図である。
【発明を実施するための形態】
【００１５】
以下に、本発明の実施形態について添付図面を参照しながら説明する。
本実施形態に係る画像付板状装飾品１は、例えば、図１に示すようなウェディングの時の人物の画像２を鏡全体に印刷したものであり、画像付板状装飾品１の周囲を額縁６で固定している。
【００１６】
本実施形態の画像付板状装飾品１は、図２に示す断面図のように、前面側に配置され裏面に画像２が印刷された透明板３と、背面側に配置され前面側となる表面に反射部４２を有する鏡板４とを個別に形成しておいて、透明板３と鏡板４とを積層して、両面テープ５を用いて周縁の数箇所をポイント的に接着して固定している。両面テープ５は、透明板３の印刷されない縁部の余白に部分的に貼り付けるのであって、より具体的には余白の外縁から約２ｍｍ内側に入った箇所に両面テープ５を貼り付けておいて、透明板３と鏡板４とを重ねて固着する。両面テープ５は、できるだけ厚みの薄いものを使用する。両面テープ５の厚みにより、透明板３に印刷した画像が直接鏡板４に密着するのを防止して、反射部４２及び透明板３とが接触したり、小さなゴミなどにより画像が損傷するのを防止できる。
【００１７】
透明板３は、本実施形態では、ガラス板により形成されており、厚みは１ｍｍ〜３ｍｍの範囲の物を使用する。好ましくは２ｍｍの厚みがよい。さらに、透明板３は、透明な合成樹脂製の板、例えば透明アクリル板で形成することもできる。
【００１８】
本実施形態では、透明板３の裏面に形成される画像２は、インクジェットプリンタを用いてインクジェット印刷により形成している。なお、本実施形態では、画像２は、説明をし易くするためにイラストで描いているが、写真や風景画などインクジェット印刷で美しく描けるものであればどのような画像でも差し支えない。
【００１９】
画像２は、図２に示すように、透明板３の裏面に透明樹脂インクでインクジェット印刷をすることにより透明樹脂印刷層２１を形成した後に、不透明樹脂インクでインクジェット印刷をすることにより不透明樹脂印刷層２２を形成して構成される。また、画像２は、鏡板４の前面側となる表面に形成される反射部４２に印刷することもできる。この場合には、鏡板４の表面に不透明樹脂インクでインクジェット印刷をすることにより不透明樹脂印刷層２２を形成した後に、透明樹脂インクでインクジェット印刷をすることにより透明樹脂印刷層２１を形成して画像２が形成される。
【００２０】
本実施形態で使用する透明樹脂インク及び不透明樹脂インクは、油性インクを用いており、特に、不透明樹脂インクは油性染料インクを用いている。本実施形態では、透明樹脂インク及び不透明樹脂インクは、透明板３にガラス板を使用しているため、ガラスと樹脂インクとの密着性を上げるために、印刷後に加熱処理を行っている。このようにインクを加熱処理することにより、インクの透明板３への密着強度を上げるようにしている。そのため、透明板３は、耐熱性のあるガラス板を用いる。また、透明板３として透明アクリル板を用いる場合には、加熱処理は行わない。
【００２１】
なお、図２では、分かり易くするために、両面テープ５、透明樹脂印刷層２１及び不透明樹脂印刷層２２の厚みは厚く表現しているが、実際は透明樹脂印刷層２１及び不透明樹脂印刷層２２はインクジェットプリンタによりインクを吹き付けており、両面テープ５もできるだけ厚みの薄いものを使用しているので、両面テープ５、各印刷層２１，２２の厚みは図２に示された状態よりも薄い。
【００２２】
本実施形態では、印刷しようとする色つき画像は不透明樹脂印刷層２２により形成されるのであって、透明樹脂印刷層２１は、不透明樹脂印刷層２２で形成される画像と同じ形状に印刷されて形成される。さらに、透明樹脂印刷層２１は、不透明樹脂印刷層２２で形成される画像の色調に合わせて透明樹脂インクの塗布量を変化させて印刷することにより形成される。
【００２３】
さらに、透明板３の裏面に形成される画像２は、図１に示すように、印刷する画像の影部２３及び輪郭線２４を除いた輪郭線２４よりも内部の色つき部分の範囲内に色抜き部分２５が形成されるように印刷される。即ち、図１に示す白色の部分（ドレス及びタキシードの影部２３及び輪郭線２４を除く部分）を、不透明樹脂印刷層２２及び透明樹脂印刷層２１を形成しない色抜き部分２５とする。この色抜き部分２５に対応する鏡板４の反射部４２は鏡としての機能を発揮する。
【００２４】
本実施形態では、鏡板４は、図２に示すように、透明のガラス板からなる透明部４１の表面（前面側）に銀蒸着を行って金属皮膜を形成して反射部４２を形成している。
なお、鏡板４の透明部４１は、ガラス板ではなく透明のプラスチック板、例えばアクリル板を用いることもできる。透明部４１にプラスチック板を用いる場合には、プラスチック板の一方の面である表面（前面側）に金属皮膜を蒸着して形成したり、金属めっき加工を施したりして鏡板４を形成する。鏡板４の透明部４１にプラスチック板を使用することにより画像付板状装飾品１の全体を軽量にすることができる。また、鏡板４として透明部４１の裏面に金属皮膜を蒸着したものを用いることもできる。この場合には、透明部４１が前面側となる。
【００２５】
次に、本実施形態に係る画像付板状装飾品１の製造工程について説明する。
まず、透明板３の裏面に印刷される画像のデータは、ビットマップデータやベクトルデータなどであって、所定の画像ソフトを用いてパーソナルコンピューター（ＰＣ）内に保存しておく。さらに、画像データを、ＰＣによって印刷したい大きさに編集し、ベクトルデータで保存する。
【００２６】
印刷する画像データを、ＰＣでビットマップデータに生成し、まず、透明樹脂印刷層２１を形成するためのデータ設定を行う。透明樹脂印刷層２１の設定が終了したら、インクジェットプリンタを用いて設定した透明樹脂印刷層２１を印刷して形成する。透明樹脂印刷層２１の印刷は、画像データの色調がある部分に対応させて、インクジェットプリンタによる透明樹脂インクの吐出量を変化させるように設定する。
【００２７】
具体的には、例えば、画像の薄い色の部分は吐出量を多く、画像の濃い色の部分は吐出量を少なくして印刷したり、または、反対に、画像の薄い色の部分は吐出量を少なく、画像の濃い色の部分は吐出量を多くして印刷したりする。さらに、画像をＰＣで編集して透明樹脂インクを塗布する面積を設定することもできる。
【００２８】
透明樹脂印刷層２１は、本実施形態では、不透明樹脂印刷層２２で形成される画像の色調の無い部分及び不透明樹脂印刷層２２で形成される画像が形成されない部分には形成しないように設定されているが、色調の無い画像の部分や、不透明樹脂印刷層２２で画像が形成されない部分にも透明樹脂印刷層２１を形成してもよい。不透明樹脂印刷層２２で画像が形成されない部分に透明樹脂印刷層２１を形成することにより、その部分を白っぽく光らせることができる。さらに、透明樹脂印刷層２１を形成する場合には、透明樹脂インクの吐出量は、一定にしてもよいし、前述したように変化させてもよく、任意に調整することができる。
【００２９】
透明樹脂印刷層２１のクリア印刷が完了すると、次に、ＰＣに保存されていて、これから印刷するビットマップの画像データをカラー印刷するために、カラー画像となる不透明樹脂印刷層２２を形成するためのデータ設定を行う。不透明樹脂印刷層２２の設定が終了したら、インクジェットプリンタを用いて設定した不透明樹脂印刷層２２を印刷する。不透明樹脂印刷層２２のカラー印刷が終了すると、透明板３を加熱して乾燥させて各印刷層２１，２２を透明板３に密着させる。冷却後、透明板３と鏡板４とを、透明板３の印刷面が鏡板４の反射部４２と対向するように配置させ、縁部を両面テープ５により固定する。
【００３０】
本実施形態の画像付板状装飾品１によれば、画像２をインクジェット印刷により形成するので、写真などのような鮮明な画像を形成でき、しかも、オリジナルの画像など、少量多品種の彩色画像でも簡単に形成できる。
さらに、透明板３に入射した光は、不透明な画像２がない箇所を通過して鏡板４の反射部４２によって反射するので画像２の周囲が明るくなり、通常の絵画や写真を観る場合に比べて透明板３の全体が明るくなって意匠性のある画像付板状装飾品１が得られる。具体的には、鏡板４の反射部４２によって、透明板３に入射した光が反射するので、反射光を観ながら画像２を観ることになり、通常の絵画や写真を観る場合に比べて明るくなる。
【００３１】
しかも、本実施形態の画像付板状装飾品１は、既存の鏡板４を利用して、簡単に透明板３と鏡板４とを積層して固着できるし、画像２が透明板３の裏面に印刷されるので画像２は透明板３で保護されて傷つくこともない。さらに、鏡板４の表面に反射部４２を形成することにより、市販されている鏡板のようにガラス板の裏面側に反射部が形成される場合に比べて、ガラス板で形成される透明部４１が反射部４２の裏面側になるので、画像２から反射部４２までの距離はほぼ無くなった状態になる。その結果、印刷されている画像２と、反射部４２に映し出される画像とがガラス板の厚みによって二重に重なって見えることが無くなり、印刷された画像２が鮮明になる。
また、画像２が印刷されていない色抜き部分２５に対応する反射部４２には風景や人物が映るので、画像を楽しみながら鏡としての機能も果たすことができる。
【００３２】
また、市販されている鏡板のように透明部４１の裏面側に反射部４２を形成して画像付板状装飾品１を構成する場合には、特に正面以外の方向から見た時に、不透明樹脂印刷層２２が鏡板４の反射部４２に影として映り、その反射部４２に映った影と不透明樹脂印刷層２２による表示とがややずれて映り、二重に見えるようになるが、不透明樹脂印刷層２２で形成される画像２の周囲に透明樹脂印刷層２１を形成することにより、画像がずれて見えるのを抑制することができ、さらに、透明樹脂印刷層２１で反射した光により不透明樹脂印刷層２２の画像２が明るく見えて、画像付板状装飾品１に立体感を出すことができる。
【００３３】
なお、本発明は上記実施形態に限定されるものではなく、本発明の技術的範囲において種々の変形が可能である。
【符号の説明】
【００３４】
１  画像付板状装飾品
２  画像
３  透明板
４  鏡板
５  接着剤
６  額縁
２１  透明樹脂印刷層
２２  不透明樹脂印刷層
２３  影部
２４  輪郭線
２５  色抜き部分
４１  透明部
４２  反射部
【図１】
2016195630.tif 000003
【図２】
2016195630.tif 000004